(57)【要約】【課題】洗浄ホースの繰り出し繰り戻しを良好にし、かつ一のモータで洗浄ホースの回転駆動、繰り出し繰り戻しを可能にすることにある。【解決手段】外周面３ａで洗浄ホース１を巻回するリール３と、このリール３を回転自在に支持する枠体４と、この枠体４を回転自在に支持するフレーム５と、このフレーム５に設けられ、当該フレーム５に対して枠体４を回転駆動するモータ６と、フレーム５に対する枠体４の回転をリール３の回転中心部に設けられたリール回転軸３１に伝達するクラッチ手段７とを備えた構成になっている。【選択図】図１
2006035006.tif 000002
【特許請求の範囲】
【請求項１】
外周面で洗浄ホースを巻回するリールと、
このリールを回転自在に支持する枠体と、
この枠体を回転自在に支持するフレームと、
このフレームに設けられ、当該フレームに対して上記枠体を回転駆動するモータと、
上記フレームに対する上記枠体の回転を上記リールの回転中心部に設けられたリール回転軸に伝達するクラッチ手段とを備えたことを特徴とする管内洗浄装置。
【請求項２】
上記クラッチ手段は、上記枠体の回転中心部に設けられた枠体回転軸に回転自在に嵌合する空転部材と、上記枠体に設けられ、上記空転部材の上記枠体回転軸に対する回転を上記リール回転軸に伝達する回転伝達手段と、上記フレームに設けられ、上記空転部材を上記フレームに対して停止させた状態に保持することが可能に構成された断続手段とを備えていることを特徴とする請求項１に記載の管内洗浄装置。
【請求項３】
上記空転部材は、上記枠体回転軸に回転自在に嵌合する空転プーリによって構成され、
上記回転伝達手段は、上記枠体に回転自在に設けられたシャフトと、このシャフトの一端部における上記空転プーリに対応する位置に設けられたプーリと、上記シャフトの他端部に設けられた第１歯車と、上記リール回転軸に設けられ、上記第１歯車と噛み合う第２歯車と、上記空転プーリと上記プーリの回転力の伝達を行うベルトとを備えており、
上記断続手段は、上記フレームに揺動自在に設けられたレバーと、このレバーの揺動に応じて、先端部が上記空転プーリに対して離接する方向に揺動し、上記空転プーリに接する方向に揺動した際に当該空転プーリに設けられた被係止部に係止して、当該空転プーリの上記フレームに対する回転を停止させる係止部材とを備えていることを特徴とする請求項２に記載の管内洗浄装置。
【発明の詳細な説明】
【技術分野】
【０００１】
本発明は、下水管等の種々の管路内を洗浄ホースを挿入して清掃するための管内洗浄装置に関するものである。
【背景技術】
【０００２】
この種の管内洗浄装置としては、例えば図８及び図９に示すものが知られている（例えば、特許文献１）。
【０００３】
この管内洗浄装置は、洗浄ホース１と、この洗浄ホース１を突出口部２１ａから出し入れすると共に、当該洗浄ホース１を内周面に沿って収容する回転ハウジング２１と、この回転ハウジング２１を回転自在に保持するフレーム２２と、このフレーム２２に設けられ、回転ハウジング２１を回転駆動するモータ２３とを備えた構成になっている。
【０００４】
洗浄ホース１の先端部には、先端側から基端側に向け、かつ斜め外方に（洗浄する管の内面側に）向けて水を噴出する複数の噴射孔１１ａを有するノズル１１が一体的に設けられている。
【０００５】
上記管内洗浄装置においては、洗浄ホース１に例えば高圧の水を供給することによって、ノズル１１から高速の水が噴出することになるので、当該水によって管（図示せず）内を洗浄することができると共に、洗浄ホース１を回転ハウジング２１から繰り出すための推力を得ることができる。
【０００６】
また、回転ハウジング２１をモータ２３で回転駆動することにより、洗浄ホース１がその軸回りに回転することになるので、当該洗浄ホース１と一体的に回転するノズル１１によって管内を綺麗に清掃することができる。
【０００７】
また、洗浄ホース１を回転ハウジング２１内に収納するには、洗浄ホース１への高圧水の供給を停止し、かつ回転ハウジング２１の回転を停止した状態で、当該洗浄ホース１を回転ハウジング２１内に手動で押し入れることになる。これにより、洗浄ホース１を、回転ハウジング２１の内面に沿うように収納することができる。
【０００８】
ところが、上記従来の管内洗浄装置においては、洗浄ホース１が単に回転ハウジング２１の内面に沿って収容されているだけであるので、洗浄ホース１の繰り出し中に回転ハウジング２１を回転駆動すると、当該洗浄ホース１が回転ハウジング２１内でよじれて絡まった状態になりやすく、最悪の場合、洗浄ホース１を回転ハウジング２１から引き出すことも、当該回転ハウジング２１内に押し入れることも不可能になって、洗浄作業を停止しなければならないことがある。この傾向は、管内における洗浄ホース１やノズル１１の回転抵抗が大きい場合に、特に顕著に生じる。
【特許文献１】特開２００１−１８０８７３号公報
【発明の開示】
【発明が解決しようとする課題】
【０００９】
本発明は、上記事情に鑑みてなされたものであり、洗浄ホースの繰り出し繰り戻しが不能になるのを防止することができ、かつ一つのモータで洗浄ホースの軸回りの回転駆動と、当該洗浄ホースの繰り出し繰り戻しとを行うことのできる管内洗浄装置を提供することを課題としている。
【課題を解決するための手段】
【００１０】
上記課題を解決するため、請求項１に記載の発明は、外周面で洗浄ホースを巻回するリールと、このリールを回転自在に支持する枠体と、この枠体を回転自在に支持するフレームと、このフレームに設けられ、当該フレームに対して上記枠体を回転駆動するモータと、上記フレームに対する上記枠体の回転を上記リールの回転中心部に設けられたリール回転軸に伝達するクラッチ手段とを備えたことを特徴としている。
【００１１】
請求項２に記載の発明は、請求項１に記載の発明において、上記クラッチ手段は、上記枠体の回転中心部に設けられた枠体回転軸に回転自在に嵌合する空転部材と、上記枠体に設けられ、上記空転部材の上記枠体回転軸に対する回転を上記リール回転軸に伝達する回転伝達手段と、上記フレームに設けられ、上記空転部材を上記フレームに対して停止させた状態に保持することが可能に構成された断続手段とを備えていることを特徴としている。
【００１２】
請求項３に記載の発明は、請求項２に記載の発明において、上記空転部材は、上記枠体回転軸に回転自在に嵌合する空転プーリによって構成され、上記回転伝達手段は、上記枠体に回転自在に設けられたシャフトと、このシャフトの一端部における上記空転プーリに対応する位置に設けられたプーリと、上記シャフトの他端部に設けられた第１歯車と、上記リール回転軸に設けられ、上記第１歯車と噛み合う第２歯車と、上記空転プーリと上記プーリの回転力の伝達を行うベルトとを備えており、上記断続手段は、上記フレームに揺動自在に設けられたレバーと、このレバーの揺動に応じて、先端部が上記空転プーリに対して離接する方向に揺動し、上記空転プーリに接する方向に揺動した際に当該空転プーリに設けられた被係止部に係止して、当該空転プーリの上記フレームに対する回転を停止させる係止部材とを備えていることを特徴としている。
【発明の効果】
【００１３】
上記のように構成された請求項１〜３に記載の発明によれば、外周面で洗浄ホースを巻回するリールと、このリールを回転自在に支持する枠体と、この枠体を回転自在に支持するフレームと、このフレームに設けられ、当該フレームに対して上記枠体を回転駆動するモータとを備えているので、洗浄ホースをリールから繰り出している際に、モータによって枠体を回転駆動することにより、洗浄ホースをその軸回りに回転させることができる。
【００１４】
この場合、リールの回転軸の方向と枠体の回転軸の方向とを直交させておくことにより、洗浄ホースを軸回りに効率よく回転させることができる。
【００１５】
また、洗浄ホースがリールの外周面に巻回されるようになっているので、洗浄ホースに回転駆動を加えた場合でも、リールにおける洗浄ホースの巻回状態が崩れるのを極力防止することができる。即ち、洗浄ホースがよじれてリールに絡まった状態になったり、これによって洗浄ホースがリールから繰り出すことも、当該リールに繰り戻すことも不可能になったりするのを防止することができる。
【００１６】
また、仮に、洗浄ホースがリールに絡まった状態になったとしても、この絡まりをリールの外側から容易に修正することができる。従って、洗浄ホースがリールに絡まることにより、洗浄作業が停止するのを確実に防止することができる。
【００１７】
更に、フレームに対する枠体の回転を、リールの回転中心部に設けられたリール回転軸に伝達するクラッチ手段が設けられているので、枠体を回転駆動するモータを用いてリールを回転駆動することができる。この場合、モータによって枠体を回転駆動する方向を切り換えることにより、リールの回転方向も切り換えることができる。即ち、洗浄ホースを繰り出す正方向にリールを回転駆動したり、洗浄ホースを巻き取る（繰り戻す）逆方向にリールを回転駆動したりすることができる。そして、逆方向に回転駆動した場合には、洗浄ホースを隣接した状態に綺麗に巻き取ることができる。
【００１８】
請求項２に記載の発明によれば、空転部材が枠体回転軸に回転自在に設けられているので、例えば洗浄ホースに力が作用した場合には、その力がリールから回転伝達手段を介して空転部材に伝達され、当該空転部材が枠体回転軸に対して空転することになる。このため、例えば洗浄ホースをリールから繰り出す方向の外力が生じた場合には、当該リールが自由に回転することになるので、この洗浄ホースの繰り出しに全く支障を生じることがない。洗浄ホースをリールに繰り戻す方向の外力が生じた場合も、この洗浄ホースの繰り戻しに全く支障を生じることがない。
【００１９】
また、洗浄ホースやリール等に外力が作用しなければ、モータで枠体を回転駆動している場合でも、空転部材が枠体回転軸との摩擦力等により当該枠体回転軸と一体的に回転することになるので、リールが回転駆動されることがない。
【００２０】
一方、断続手段によって空転部材をフレームに対して停止した状態に保持すると、枠体を回転駆動することによって、枠体回転軸が空転部材に対して回転した状態になる。この状態は空転部材が枠体回転軸に対して回転しているのと等価であるので、この空転部材の回転が回転伝達手段を介してリール回転軸に伝達され、リールが回転駆動されることになる。
【００２１】
従って、断続手段で空転部材をフレーム側に固定し、モータによって枠体を回転することによりリールを回転駆動することができる。この場合、枠体の回転方向を切り換えることにより、リールを正方向に回転駆動したり、逆方向に回転駆動したりすることができる。即ち、一つのモータで洗浄ホースをその軸回りに回転駆動することができると共に、当該洗浄ホースの繰り出し繰り戻しを行うことができる。
【００２２】
請求項３に記載の発明によれば、レバーを揺動操作するだけで、係止部材を被係止部に係止させて、空転プーリをフレームに対して停止した状態に保持したり、係止部材の被係止部に対する係止状態を解除して、空転プーリをフレームに対して回転自由な状態にすることができる。
【００２３】
そして、空転プーリをフレームに対して回転自由な状態にした場合には、枠体をモータによって回転駆動した場合でも、リールが回転駆動されることがない。
【００２４】
一方、空転プーリをフレーム側に固定した場合には、枠体回転軸に対して空転プーリが回転し、この空転プーリの回転がベルト、プーリ、シャフト、第１歯車及び第２歯車を介してリール回転軸に伝達され、リールが回転駆動されることになる。
【００２５】
従って、レバーを揺動操作するだけで、リールの回転駆動及びこの回転駆動の解除を行うことができる。また、リールの回転方向は、モータによる枠体を回転する方向によって変更することができる。なお、リールの回転駆動が解除された状態では、リールは上述のように自由に回転すること可能である。
【発明を実施するための最良の形態】
【００２６】
本発明を実施するための最良の形態としての一実施の形態について図１〜図７を参照しながら説明する。ただし、従来例で示した構成要素と共通する要素には同一の符号を付し、その説明を簡略化する。
【００２７】
この実施の形態で示す管内洗浄装置は、図１〜図７に示すように、洗浄ホース１を巻回して保持するリール３と、このリール３を回転自在に支持する枠体４と、この枠体４を回転自在に支持するフレーム５と、このフレーム５に設けられ、当該フレーム５に対して枠体４を回転駆動するモータ６と、フレーム５に対する枠体４の回転をリール３の回転中心部に一体的に設けられたリール回転軸３１に伝達するクラッチ手段７を備えている。
【００２８】
洗浄ホース１の先端部には、ノズル１１が一体的に設けられている。
リール３は、図１、図３及び図５に示すように、円筒状の外周面３ａと、この外周面３ａの軸方向の両端部に設けられたフランジ部３ｂ、３ｂとを備えており、外周面３ａ上に巻回した洗浄ホース１を左右のフランジ部３ｂ、３ｂで保持するようになっている。また、リール回転軸３１は、円筒状に形成されている。
【００２９】
枠体４は、図１、図２及び図５に示すように、リール３における軸方向の各端面の直径部分及び当該リール３の外周部分を所定の間隔をおいて囲むように、鋼板等の金属製の帯状板によって四角形の枠状に形成されている。この枠体４におけるリール３の各端面に対応する長板部４１、４２には、リール回転軸３１の各端部を回転自在に支持するベアリング４１ａ、４２ａが設けられている。
【００３０】
なお、一方のベアリング４１ａから突出するリール回転軸３１の一端部には、リール回転軸３１内に連通するように回転自在継手３２が同軸状に接続されており、他方のベアリング４２ａから突出するリール回転軸３１の他端部には、後述する第２歯車７２ｄが同軸状に固定されている。この場合、リール回転軸３１の他端部は閉塞された状態になっている。また、リール回転軸３１には、一方の長板部４１とリール３との間に、リール回転軸３１内に連通するように継手３３が接続されている。
【００３１】
回転自在継手３２は、図２に示すように、一端部と他端部とが相対回転自在に構成されており、一端部がリール回転軸３１に連結され、他端部がホース３４に連結されている。また、継手３３には、洗浄ホース１の基端部が連結されている。
【００３２】
また、枠体４における互いに対向する短板部４３、４４には、図２及び図５に示すように、円筒状に形成された枠体回転軸４５、４６が設けられている。この枠体回転軸４５、４６は、同軸状に設置されていると共に、その軸線の方向がリール回転軸３１の軸線の方向に対して直交した状態になっている。
【００３３】
フレーム５は、鋼管等によって形成されたパイプ５１及び鋼板等によって形成された２枚の支持板５２、５３を備えた構成になっている。各支持板５２、５３は、互いに平行に対置すべくパイプ５１に固定されている。一方の支持板５２には、一方の枠体回転軸４５を回転自在に支持するベアリング５２ａが設けられており、他方の支持板５３には、他方の枠体回転軸４６を回転自在に支持するベアリング５３ａが設けられている。
【００３４】
一方の枠体回転軸４５は、図５に示すように、その内部を通って、洗浄ホース１が枠体４及びフレーム５内から外方へ繰り出すことが可能なように、一方の短板部４３に固定されている。
他方の枠体回転軸４６には、図２に示すように、他方の短板部４４の内側に突出する一方の端部に、当該枠体回転軸４６内に連通するように継手４７が接続されている。また、他方の枠体回転軸４６における他方のベアリング５３ａから突出する他方の端部には、当該枠体回転軸４６内に連通するように回転自在継手５４が接続されている。回転自在継手５４は、互いに相対回転する一端部が枠体回転軸４６に連結され、他端がストップバブル５５に連結されている。ストップバブル５５は、図示しない高圧ホースを介して高圧の水を供給可能な水圧源に接続されるようになっている。
【００３５】
また、他方の枠体回転軸４６には、図１及び図２に示すように、他方の短板部４４と他方の支持板５３との間に、プーリ６１が設けられている。そして、モータ６は、図１に示すように、その出力軸に設けたプーリ６２がプーリ６１に対応した位置となるように、取付板５６を介してフレーム５に設けられている。プーリ６１、６２にはベルト６３が巻回されている。
【００３６】
クラッチ手段７は、図４及び図５に示すように、一方の枠体回転軸４５に回転自在に嵌合する空転プーリ（空転部材）７１と、枠体４に設けられ、空転プーリ７１の枠体回転軸４５に対する回転をリール回転軸３１に伝達する回転伝達手段７２と、フレーム５の一方の支持板５２に設けられ、空転プーリ７１をフレーム５に対して停止させた状態に保持することが可能な断続手段７３とを備えている。
【００３７】
回転伝達手段７２は、枠体４の他方の長板部４２に回転自在に設けられたシャフト７２ａと、このシャフト７２ａの一端部における空転プーリ７１に対応する位置に設けられたプーリ７２ｂと、シャフト７２ａの他端部に設けられた第１歯車７２ｃと、リール回転軸３１の他端部の第１歯車７２ｃと噛み合う位置に設けられた第２歯車７２ｄと、空転プーリ７１とプーリ７２ｂとの間の回転力の伝達を行うベルト７２ｅとを備えている。第１歯車７２ｃ及び第２歯車７２ｄは、回転方向を直角に変更することが可能であると共に、両方向への回転力の伝達が可能なように、ねじ歯車や傘歯車が使用されている。
【００３８】
断続手段７３は、図３、図４及び図６に示すように、フレーム５の一方の支持板５２に揺動自在に設けられたレバー７３ａと、このレバー７３ａの揺動に応じて、先端部が空転プーリ７１に対して離接する方向に揺動し、当該空転プーリ７１に接する方向に揺動した際に当該空転プーリ７１の外周面に形成された凸部（被係止部）７１ａに係止して、当該空転プーリ７１のフレーム５に対する回転を停止させる係止部材７３ｂとを備えている。凸部７１ａは、空転プーリ７１の外周面における周方向に１８０度の間隔をおいた各位置に２つ設けられている。
【００３９】
また、図１及び図７において６４は、モータ６の電源コードである。
【００４０】
上記のように構成された管内洗浄装置においては、高圧水をストップバルブ５５に供給すると、当該ストップバブル５５が開いている場合には、当該水が回転自在継手５４、他方の枠体回転軸４６、継手４７、ホース３４、回転自在継手３２、リール回転軸３１、継手３３及び洗浄ホース１を通って、ノズル１１から斜め後方に噴出することになる。
【００４１】
そして、洗浄ホース１を巻回するリール３と、このリール３を回転自在に支持する枠体４と、この枠体４を回転自在に支持するフレーム５と、このフレーム５に設けられ、当該フレーム５に対して枠体４を回転駆動するモータ６とを備えているので、洗浄ホース１をリール３から繰り出している際に、モータ６によって枠体４を回転駆動することにより、洗浄ホース１をその軸回りに回転させることができる。
【００４２】
この場合、リール３のリール回転軸３１の軸線方向と枠体４の枠体回転軸４５、４６の軸線方向とが直交しているので、枠体４の回転を効率よく洗浄ホース１に伝達させることができる。
【００４３】
しかも、洗浄ホース１がリール３に巻回された状態になっているので、洗浄ホース１に回転駆動を加えた場合でも、当該洗浄ホース１のリール３に対する巻回状態が崩れることがない。即ち、洗浄ホース１がよじれてリール３上に絡まった状態になり、当該洗浄ホース１がリール３からから繰り出すことも、当該リール３に繰り戻すことも不可能になるのを確実に防止することができる。
【００４４】
また、仮に、洗浄ホース１がリール３上に絡まった状態になったとしても、この絡まりを外部から容易に修正することができる。従って、洗浄ホース１がリール３に絡まることにより、洗浄作業が停止するような不具合を確実に防止することができる。
【００４５】
更に、フレーム５に対する枠体４の回転をリール３の回転中心部に設けられたリール回転軸３１に伝達するクラッチ手段７を備えているので、枠体４を回転駆動するモータ６を用いてリール３を回転駆動することができる。この場合、モータ６による枠体４を回転駆動する方向を切り換えることにより、洗浄ホース１を繰り出す方向にリール３を回転させたり、洗浄ホース１を巻き取る方向にリール３を回転させたりすることができる。しかも、洗浄ホース１を隣接した状態に綺麗に巻き取ることができる。
【００４６】
また、空転プーリ７１が枠体回転軸４５に回転自在に設けられているので、洗浄ホース１にリール３から繰り出す力や繰り戻す力が作用した場合には、その力がリール３から回転伝達手段７２を介して空転プーリ７１に伝達され、当該空転プーリ７１が一方の枠体回転軸４５に対して空転することになる。このため、ノズル１１から推力が作用した際には、リール３が自由に回転することになるので、当該推力による洗浄ホース１の移動に支障を来すことがない。
【００４７】
また、洗浄ホース１やリール３等に外力が作用しなければ、モータ６で枠体４を回転駆動した場合でも、空転プーリ７１が枠体回転軸４５との摩擦力等により当該枠体回転軸４５と共に回転することになるので、リール３が回転駆動されることがない。
【００４８】
一方、断続手段７３によって空転プーリ７１をフレーム５に対して停止した状態に保持した場合には、枠体４を回転駆動することによって、当該枠体４に設けられた一方の枠体回転軸４５が空転プーリ７１に対して回転した状態になる。この場合、枠体回転軸４５に対して空転プーリ７１が回転しているのと等価であるので、この空転プーリ７１の回転が回転伝達手段７２を介してリール回転軸３１に伝達され、リール３が回転駆動されることになる。
【００４９】
従って、断続手段７３で空転プーリ７１をフレーム５側に固定し、モータ６によって枠体４の回転方向を切り換えることにより、リール３を繰り出し方向に回転駆動したり、繰り戻し方向（巻き戻し方向）に駆動したりすることができる。即ち、一つのモータ６で洗浄ホース１をその軸回りに回転駆動することができると共に、当該洗浄ホース１の繰り出し繰り戻しを行うことができる。
【００５０】
また、断続手段７３においては、レバー７３ａを揺動操作するだけで、係止部材７３ｂを凸部７１ａに係止させて、空転プーリ７１をフレーム５に対して停止した状態に固定したり、係止部材７３ｂの凸部７１ａに対する係止状態を解除して、空転プーリ７１をフレーム５に対して回転自由な状態にすることができる。
【００５１】
そして、空転プーリ７１をフレーム５側に固定した場合には、枠体回転軸４５に対して空転プーリ７１が回転し、この空転プーリ７１の回転がベルト７２ｅ、プーリ７２ｂ、シャフト７２ａ、第１歯車７２ｃ及び第２歯車７２ｄを介してリール回転軸３１に伝達されることになるので、リール３を確実に回転駆動することができる。
【００５２】
なお、上記実施の形態においては、空転プーリ７１、ベルト７２ｅ及びプーリ７２ｂを介して回転力の伝達を行うように構成したが、空転プーリ７１に代えて空転歯車を一方の枠体回転軸４５に回転自在に設け、プーリ７２ｂに代えて空転歯車に噛み合う歯車をシャフト７２ａの一端部に設けるように構成してもよい。
【図面の簡単な説明】
【００５３】
【図１】この発明の一実施の形態として示した管内洗浄装置の正面図である。
【図２】同管内洗浄装置を示す図であって、図１のII−II線に沿う断面図である。
【図３】同管内洗浄装置の左側面図である。
【図４】同管内洗浄装置の要部断面図である。
【図５】同管内洗浄装置を示す図であって、図４のＶ−Ｖ線に沿う断面図である。
【図６】同管内洗浄装置を示す図であって、図４のVI−VI線に沿う断面図である。
【図７】同管内洗浄装置の右側面図である。
【図８】従来例として示した管内洗浄装置の要部破断斜視図である。
【図９】同管内洗浄装置における洗浄ホースのノズルを示す正面図である。
【符号の説明】
【００５４】
１  洗浄ホース
３  リール
３ａ  外周面
４  枠体
５  フレーム
６  モータ
７  クラッチ手段
３１  リール回転軸
４５  枠体回転軸
７１  空転プーリ（空転部材）
７１ａ  凸部（被係止部）
７２  回転伝達手段
７２ａ  シャフト
７２ｂ  プーリ
７２ｃ  第１歯車
７２ｄ  第２歯車
７２ｅ  ベルト
７３  断続手段
７３ａ  レバー
７３ｂ  係止部材
【図１】
2006035006.tif 000003
【図２】
2006035006.tif 000004
【図３】
2006035006.tif 000005
【図４】
2006035006.tif 000006
【図５】
2006035006.tif 000007
【図６】
2006035006.tif 000008
【図７】
2006035006.tif 000009
【図８】
2006035006.tif 000010
【図９】
2006035006.tif 000011